(57)【特許請求の範囲】
【請求項１】
無線通信する第１の基地局を介して相手端末と通話中に、該第１の基地局との通話品質が劣化したかどうか判定する第１のステップと、
前記第１のステップにより通話品質が劣化したと判定されたときに、前記第１の基地局とは異なる無線通信可能な一又は二以上の第２の基地局を、所定時間内で検索する第２のステップと、
前記第２のステップにより検索された任意の一の第２の基地局を切替先の基地局として定めて、該切替先の基地局との間で同期確立をとるようにする第３のステップと、
前記第３のステップにより同期確立ができたときは、前記切替先の基地局を介して通話を継続させる第４のステップと、
前記第３のステップにより同期確立ができないときは、前記第３のステップで切替先の基地局として定めた基地局以外の別の第２の基地局が前記第２のステップにおいて検索されたかどうか判定し、前記別の第２の基地局が前記第２のステップにおいて検索されたと判定されたときには、該別の第２の基地局を前記切替先の基地局として定めて前記第３のステップによる同期確立動作を新たに行わせる第５のステップと、
前記第５のステップにより前記別の第２の基地局が前記第２のステップにおいて検索されていないと判定されたときには、予め設定したリトライ時間間隔経過後に、前記第３のステップによる前記検索された任意の一の第２の基地局との同期確立を再度行わせると共に、該第３のステップにより前記第２の基地局との間で同期確立ができるまで、最大で予め設定したリトライ回数繰り返して検索させる第６のステップと
を含むことを特徴とする移動端末のハンドオーバ方法。
【請求項２】
前記第６のステップは、前記第３のステップによる前記第２の基地局との間の同期確立が前記リトライ回数繰り返してもできないときは、通話の終了又は切り戻し処理を行わせることを特徴とする請求項１記載の移動端末のハンドオーバ方法。
【請求項３】
前記リトライ時間間隔及び前記リトライ回数は、予め用意された複数のパターンのうち、ユーザにより任意に選択された一つのパターンのリトライ時間間隔及びリトライ回数であることを特徴とする請求項１記載の移動端末のハンドオーバ方法。
【請求項４】
無線通信する第１の基地局を介して相手端末と通話中に、該第１の基地局との通話品質が劣化したかどうか判定する第１のステップと、
前記第１のステップにより通話品質が劣化したと判定されたときに、前記第１の基地局とは異なる無線通信可能な一又は二以上の第２の基地局を、所定時間内で検索する第２のステップと、
前記第２のステップにより、前記第２の基地局を検索できないときは、予め設定した第１のリトライ時間間隔経過後に、前記第２のステップによる検索を行わせると共に、該第２のステップにより前記第２の基地局が検索できるまで、最大で予め設定した第１のリトライ回数繰り返して検索させる第３のステップと、
前記第２のステップにより前記第２の基地局を検索できたときは、前記検索された任意の一の第２の基地局を切替先の基地局として定めて、該切替先の基地局との間で同期確立をとるようにする第４のステップと、
前記第４のステップにより同期確立ができたときは、前記切替先の基地局を介して通話を継続させる第５のステップと、
前記第４のステップにより同期確立ができないときは、前記第４のステップで切替先の基地局として定めた基地局以外の別の第２の基地局が前記第２のステップにおいて検索されたかどうか判定し、前記別の第２の基地局が前記第２のステップにおいて検索されたと判定されたときには、該別の第２の基地局を前記切替先の基地局として定めて前記第４のステップによる同期確立動作を新たに行わせる第６のステップと、
前記第６のステップにより前記別の第２の基地局が前記第２のステップにおいて検索されていないと判定されたときには、予め設定した第２のリトライ時間間隔経過後に、前記第４のステップによる前記検索された任意の一の第２の基地局との同期確立を再度行わせると共に、該第４のステップにより前記第２の基地局との間で同期確立ができるまで、最大で予め設定した第２のリトライ回数繰り返して検索させる第７のステップと
を含むことを特徴とする移動端末のハンドオーバ方法。
【請求項５】
前記第３のステップは、前記第２のステップによる前記第２の基地局検索が前記第１のリトライ回数繰り返してもできないときは、通話の終了又は切り戻し処理を行わせ、前記第７のステップは、前記第４のステップによる前記第２の基地局との間の同期確立が前記第２のリトライ回数繰り返してもできないときは、通話の終了又は切り戻し処理を行わせることを特徴とする請求項４記載の移動端末のハンドオーバ方法。
【請求項６】
前記第１及び第２のリトライ時間間隔並びに前記第１及び第２のリトライ回数は、予め用意された複数のパターンのうち、ユーザにより任意に選択された一つのパターンのリトライ時間間隔及びリトライ回数であることを特徴とする請求項４記載の移動端末のハンドオーバ方法。
【発明の詳細な説明】
【０００１】
【発明の属する技術分野】
本発明は移動端末のハンドオーバ方法に係り、特に簡易携帯電話機（ＰＨＳ）が通話中に通話を継続するために通信相手先無線基地局を切り換えるハンドオーバを行う移動端末のハンドオーバ方法に関する。
【０００２】
【従来の技術】
移動端末におけるハンドオーバとは、移動端末が無線で基地局と通信している場合に、当該基地局からの距離が遠すぎる場合、もしくは妨害波、干渉波により通話品質が劣化した場合に、通話品質を保つために他の基地局に通話を保ちながら接続し直す機能である。
【０００３】
移動端末であるＰＨＳ端末のハンドオーバ方法は、従来は例えば図６のフローチャートに示すように、ＰＨＳ端末が基地局との間で無線通信し、更にその基地局を介して上位の交換機などを通して相手端末（移動端末又は固定電話機）との間で通話中に、通話品質が劣化したかどうか判定し（ステップＳ１）、通話品質が劣化していなければそのまま通話中の状態を継続し（ステップＳ２）、通話品質が劣化した時には別の基地局を約０．５秒間検索する（ステップＳ３）。ここで、通話品質の劣化は、通話しているチャネルの同期がはずれたのを検出した場合、あるいは基地局からハンドオーバを指示された場合などがある。基地局の検索は、基地局が送出する論理制御チャネルを取得することで行う。
【０００４】
上記の検索の結果が判定され（ステップＳ４）、別の基地局を検索できなかったときには、今度は約２秒間、別の基地局の検索をもう一度行う（ステップＳ５）。その検索の結果が判定され（ステップＳ６）、それでも別の基地局が検索できなかったときには、元の基地局との通信を確立しようとする、いわゆる切り戻り処理を行う（ステップＳ７）。元の基地局は、ＰＨＳ端末がハンドオーバを行って失敗した場合、戻れるように切り戻り信号を１０秒間送出し続けている。
【０００５】
１回目の約０．５秒と短い検索期間中に別の基地局が送出する論理制御チャネルを取得できたときには、その別の基地局との間で同期をとり（ステップＳ４、Ｓ８）、同期が確立したかどうか判定し（ステップＳ９）、同期が確立したときにはその基地局と通信を確立して（ステップＳ１０）、通話を継続する（ステップＳ１１）。しかし、別の基地局が検索できても同期確立ができなかった場合は、更に他の基地局があるかどうか判定し（ステップＳ１２）、他の基地局がある場合はその基地局と同期をとり（ステップＳ８）、他の基地局がない場合は、元の基地局へ切り戻り処理を行う（ステップＳ１３）。
【０００６】
また、２回目の約２秒と長い検索期間中に別の基地局が送出する論理制御チャネルを取得できたときには、その別の基地局との間で同期をとり（ステップＳ６、Ｓ８）、同期が確立したかどうか判定し（ステップＳ９）、同期が確立したときにはその基地局と通信を確立して（ステップＳ１０）、通話を継続する（ステップＳ１１）。しかし、別の基地局が検索できても同期確立ができなかった場合は、更に他の基地局があるかどうか判定し（ステップＳ１２）、他の基地局がある場合はその基地局と同期をとり（ステップＳ８）、他の基地局がない場合は、元の基地局へ切り戻り処理を行う（ステップＳ１３）。
【０００７】
図７は従来のハンドオーバ方法の検索失敗時のシーケンス図を示す。ＰＨＳ端末はユーザとのインターフェースをとる操作系制御部Ａと、ソフトウェアプログラムによる制御を行う無線系制御部Ｂと、無線部、アンテナその他回路などのハード（ハードウェア）Ｃから大略構成されている。
【０００８】
いま、ＰＨＳ端末が基地局／公衆網＃１を介して相手端末と通話中の状態において（ステップＰ１）、通信品質が劣化すると、無線系制御部Ｂが操作系制御部Ａへ無線切換開始を通知し（ステップＰ２）、無線系制御部Ａがこれにより無線切換開始応答をすると（ステップＰ３）、無線系制御部ＢがハードＣに対して基地局／公衆網＃１とは別の基地局の検索を要求するも検索結果が基地局なしを示しているものとする（ステップＰ４、Ｐ５）。この基地局検索は、図６のステップＳ３〜Ｓ５に示したように、２回行われる。
【０００９】
基地局検索に失敗すると、図６のステップＳ６の切り戻り処理が行われる。すなわち、図７において、切り戻り要求が無線系制御部ＢからハードＣに対して行われ（ステップＰ６）、これによりハードＣが切り戻り信号を基地局／公衆網＃１の基地局から受信すると（ステップＰ７）、切り戻り応答信号を送信し（ステップＰ８）、切り戻り結果を無線系制御部Ｂに通知する（ステップＰ９）。これにより、操作系制御部Ａに通話継続の通知がなされ（ステップＰ１０）、ＰＨＳ端末の表示部の画面には”通話中”が表示され、ハンドオーバ開始前の基地局／公衆網＃１とを介して相手端末との通話が継続される（ステップＰ１１）。
【００１０】
図８は従来のハンドオーバ方法の接続失敗時のシーケンス図を示す。同図中、図７と同一処理ステップには同一符号を付し、その説明を省略する。図８において、基地局検索の結果、基地局／公衆網＃２の基地局を検索できた場合、無線系制御部ＢはハードＣに同期確立を通知し、基地局／公衆網＃２の基地局との間で同期確立を行う（ステップＰ１５、Ｐ１６：図６のステップＳ８に相当）。しかし、同期確立が取れない場合（ステップＰ１７）、また、更に他の基地局も検索されないときは、図６のステップＳ１３の切り戻り処理が行われる。
【００１１】
すなわち、図８において、切り戻り要求が無線系制御部ＢからハードＣに対して行われ（ステップＰ１８）、これによりハードＣが切り戻り信号を基地局／公衆網＃１の基地局から受信すると（ステップＰ１９）、切り戻り応答信号を送信し（ステップＰ２０）、切り戻り結果を無線系制御部Ｂに通知する（ステップＰ２１）。これにより、操作系制御部Ａに通話継続の通知がなされ（ステップＰ２２）、ＰＨＳ端末の表示部の画面には”通話中”が表示され、ハンドオーバ開始前の基地局／公衆網＃１とを介して相手端末との通話が継続される（ステップＰ２３）。
【００１２】
このように、従来はハンドオーバを開始しても、他の基地局を検索できない場合、あるいは、他の基地局を検索できても同期確立ができず接続に失敗した場合は、元の基地局との通信に戻る切り戻り処理を行うことにより、通信を継続するようにしている。
【００１３】
【発明が解決しようとする課題】
しかるに、上記の従来の移動端末のハンドオーバ方法では、ハンドオーバ開始後に基地局を検索する回数が事業者（サービス提供会社）によって固定値で設定されているため、切替先の基地局が見付かる可能性が低く、ハンドオーバの成功率が低いという問題がある。
【００１４】
また、従来の移動端末のハンドオーバ方法では、２回目の検索時間が約２秒と比較的に長いため、移動端末の消費電流が多くなり、無駄な電池消耗が避けられないという問題がある。
【００１５】
更に、従来の移動端末のハンドオーバ方法では、ユーザの使用用途や地域などの違いに対応できないという問題がある。例えば、地方の基地局が充実していない地域と、都市部の基地局が充実した地域とでは、ハンドオーバの接続率は当然異なる。また、通話中にほとんど移動せずに使用する人、頻繁に移動する人、移動しながら使用する人と使用用途は様々で当然その場合でも異なってくる。しかしながら、従来はそのようなユーザの使用用途や地域を考慮しておらず、使用環境に左右されるという問題がある。
【００１６】
本発明は以上の点に鑑みなされたもので、ハンドオーバの接続率を改善し得る移動端末のハンドオーバ方法を提供することを目的とする。
【００１７】
また、本発明の他の目的は、無駄な電池消耗を回避し得る移動端末のハンドオーバ方法を提供することにある。
【００１８】
更に、本発明の他の目的は、使用環境に左右されること無く一定の品質のハンドオーバ機能を実現し得る移動端末のハンドオーバ方法を提供することにある。
【００１９】
【課題を解決するための手段】
上記の目的を達成するため、第１の発明は、無線通信する第１の基地局を介して相手端末と通話中に、第１の基地局との通話品質が劣化したかどうか判定する第１のステップと、第１のステップにより通話品質が劣化したと判定されたときに、第１の基地局とは異なる無線通信可能な一又は二以上の第２の基地局を、所定時間内で検索する第２のステップと、第２のステップにより検索された任意の一の第２の基地局を切替先の基地局として定めて、切替先の基地局との間で同期確立をとるようにする第３のステップと、第３のステップにより同期確立ができたときは、切替先の基地局を介して通話を継続させる第４のステップと、第３のステップにより同期確立ができないときは、第３のステップで切替先の基地局として定めた基地局以外の別の第２の基地局が第２のステップにおいて検索されたかどうか判定し、別の第２の基地局が第２のステップにおいて検索されたと判定されたときには、別の第２の基地局を切替先の基地局として定めて第３のステップによる同期確立動作を新たに行わせる第５のステップと、第５のステップにより別の第２の基地局が第２のステップにおいて検索されていないと判定されたときには、予め設定したリトライ時間間隔経過後に、第３のステップによる検索された任意の一の第２の基地局との同期確立を再度行わせると共に、第３のステップにより第２の基地局との間で同期確立ができるまで、最大で予め設定したリトライ回数繰り返して検索させる第６のステップとを含むことを特徴とする。
【００２０】
この発明では、ハンドオーバのために、検索した切替先の第２の基地局との間で同期確立がとれないときには、切替先の基地局として定めた基地局以外の別の第２の基地局が第２のステップにおいて検索されたかどうか判定し、別の第２の基地局が第２のステップにおいて検索されたと判定されたときには、別の第２の基地局を切替先の基地局として定めて同期確立動作を新たに行わせ、別の第２の基地局が第２のステップにおいて検索されていないと判定されたときには、予め設定したリトライ時間間隔経過後に、第３のステップによる検索された任意の一の第２の基地局との同期確立を再度行わせると共に、第３のステップにより第２の基地局との間で同期確立ができるまで、予め設定したリトライ時間間隔で最大で予め設定したリトライ回数繰り返して検索させるようにしたため、切替先の第２の基地局の検索の可能性を向上することができ、第１の目的を達成することができると共に、再度検索するまでのリトライ時間間隔の間は処理を行わないので、無駄な消費電流を削減でき、第２の目的を達成することができる。
【００２３】
また、本発明は上記の目的を達成するため、リトライ時間間隔及びリトライ回数は、予め用意された複数のパターンのうち、ユーザにより任意に選択された一つのパターンのリトライ時間間隔及びリトライ回数であることを特徴とする。この発明では、ユーザが使用用途、使用している地域などの使用環境に応じて、リトライ時間間隔及びリトライ回数を任意に設定することができ、第３の目的を達成することができる。
【００２４】
【発明の実施の形態】
次に、本発明の一実施の形態について図面と共に説明する。図１は本発明になる移動端末のハンドオーバ方法の一実施の形態のフローチャート、図２は本発明方法が適用されるＰＨＳ通信システムの一例の全体構成図を示す。図１中、図６と同一処理ステップには同一符号を付し、その説明を省略する。
【００２５】
まず、本発明方法の説明に先立ち、図２と共にＰＨＳ通信システム（ＰＨＳ電話網）の概要について説明する。移動端末の一例としてのＰＨＳ端末１０は基地局１１１、１１２、１１３、．．．のいずれかと無線通信可能である。基地局１１１及び１１２はＰＨＳ接続装置（ＰＨＳ交換機）１２、市内交換機１３をそれぞれ介して市外交換機１４に接続されている。また、基地局１１３はＰＨＳ接続装置（ＰＨＳ交換機）１５及び市内交換機１６を介して市外交換機１７に接続されている。
【００２６】
更に、市内交換機１３及び１６はＰＨＳサービス制御局１８を介して互いに接続されており、また、ＰＨＳ接続装置（ＰＨＳ交換機）１５には固定電話１９が接続されている。ここで、ＰＨＳ端末１０が基地局１１１の通話エリアに在圏しており、基地局１１１を通して相手端末と通話中に移動したものとする。
【００２７】
ＰＨＳ端末１０は、このとき図１に示すフローチャートに従い動作する。すなわち、通話品質が劣化したかどうか判定し（ステップＳ１）、通話品質が劣化していなければそのまま通話中の状態を継続し（ステップＳ２）、通話品質が劣化した時には別の基地局を約０．５秒間検索して（ステップＳ３）上記の検索の結果を判定する（ステップＳ４）。
【００２８】
検索された基地局有りとステップＳ４で判定されたときは、切替先の基地局と同期をとり、同期確立後に基地局と通信確立して切替先の基地局を通して通話を継続する（ステップＳ８〜Ｓ１１）。以上は従来のハンドオーバ方法と同じであるが、本実施の形態では、検索された基地局無しとステップＳ４で判定された場合に、切り戻し処理を行うように設定されているかどうかの判定をステップＳ２１で行う点に第１の特徴がある。
【００２９】
このステップＳ２１における切り戻し処理の設定有無の判定は、予めユーザが設定した検索のリトライ回数達したかどうかを判定し、設定したリトライ回数に達していない場合は、ユーザが予め設定した時間間隔経過した時点でステップＳ３に戻り、約０．５秒の基地局検索を再度行う。ステップＳ２１で設定したリトライ回数に達していると判定された場合は、ユーザが予め切り戻り処理を行うように設定した場合は、ステップＳ２２の切り戻り処理を行う。ユーザが予め切り戻り処理を行わないように設定していた場合は、リトライも失敗したと判断して通話を終了する。
【００３０】
また、本実施の形態では、ステップＳ９で同期確立に失敗したと判定され、かつ、検索された他の基地局無しとステップＳ１２で判定された場合に、切り戻し処理を行うように設定されているかどうかの判定をステップＳ２３で行う点に第２の特徴がある。
【００３１】
このステップＳ２３における切り戻し処理の設定有無の判定は、ステップＳ２１における切り戻し処理の設定有無の判定と同様であり、予めユーザが設定した検索のリトライ回数達したかどうかを判定し、設定したリトライ回数に達していない場合は、ユーザが予め設定した時間間隔経過した時点でステップＳ８に戻り、切替先の基地局との間で同期を取ることを再度行い、設定したリトライ回数に達していると判定された場合は、ステップＳ２２に進みユーザの設定に従い、切り戻し処理又は通話を終了する。
【００３２】
次に、本実施の形態の動作について、図３乃至図５のシーケンス図と共に更に詳細に説明する。図３はハンドオーバに成功した通常動作のシーケンス図を示す。同図中、図８と同一処理ステップには同一符号を付し、その説明を省略する。図３において、基地局検索により検索された基地局／公衆網＃２の切替先の基地局と同期をとり、切替先の基地局からの同期応答があり（ステップＰ２６）、同期確立が完了すると（ステップＰ２７）、ＰＨＳ端末の無線系制御部Ｂと切替先の基地局との間で通信するための無線の設定がハードＣを介して行われた後（ステップＰ２８、Ｐ２９）、無線系制御部Ｂから操作系制御部Ａに対して通話継続の通知がなされ（ステップＰ３０）、引き続き新たな切替先の基地局を介して相手端末と通話中の状態とされる（ステップＰ３１）。この通常動作は、従来と同様である。
【００３３】
次に、基地局検索に失敗した場合の動作について、図４のシーケンス図と共に説明する。ただし、図４中、図７と同一処理ステップには同一符号を付し、その説明を省略する。図４において、ハンドオーバを開始して最初の基地局検索により切替先の基地局を検索できなかった場合は、本実施の形態では図１のステップＳ２１による切り戻し処理の設定有無の判定を行うようにしているので、予め設定したリトライ時間間隔ｎ秒（例えば、１秒〜１０秒の範囲内の設定値）経過した時点で（ステップＰ３４）、基地局検索を無線系制御部ＢがハードＣに対して要求し（ステップＰ３５）、図１のステップＳ３による約０．５秒間の基地局検索を再度行わせる。なお、リトライ時間間隔ｎ秒はあまり短いと、せっかく再検索を行っても切替先の基地局を検索できない可能性が高いので、適当な値に設定する必要がある。
【００３４】
上記の基地局の再検索の検索結果は、ＰＨＳ端末のハードＣから無線系制御部Ｂへ通知される。ここでは、それまで通信していた基地局／公衆網＃１の基地局とは別の基地局／公衆網＃２の基地局が送出する論理制御チャネルを受信できたとの検索結果が通知されたものとすると、無線系制御部ＢはハードＣに対して同期確立を通知し（ステップＰ３７）、ハードＣと切替先の基地局との間で同期をとる（ステップＰ３８）。
【００３５】
切替先の基地局からの同期応答があり（ステップＰ３９）、同期確立が完了すると（ステップＰ４０）、ＰＨＳ端末の無線系制御部Ｂと切替先の基地局との間で通信するための無線の設定がハードＣを介して行われた後（ステップＰ４１、Ｐ４２）、無線系制御部Ｂから操作系制御部Ａに対して通話継続の通知がなされ（ステップＰ４３）、引き続き新たな切替先の基地局を介して相手端末と通話中の状態とされる（ステップＰ４４）。
【００３６】
次に、切替先の基地局との接続に失敗した場合の動作について、図５のシーケンス図と共に説明する。ただし、図５中、図４又は図８と同一処理ステップには同一符号を付し、その説明を省略する。図５において、ハンドオーバを開始して最初の基地局検索により切替先の基地局を検索できたが、その切替先の基地局からの同期応答が無く（ステップＰ１６）、同期確立に失敗した場合（ステップＰ１７）、本実施の形態では図１のステップＳ２３による切り戻し処理の設定有無の判定を行うようにしているので、予め設定したリトライ時間間隔ｎ秒（例えば、１秒〜１０秒の範囲内の設定値）経過した時点で（ステップＰ３４）、基地局検索を無線系制御部ＢがハードＣに対して要求し（ステップＰ３５）、図１のステップＳ８による切替先の基地局との間で同期をとることを再度行わせる（ステップＰ４６、Ｐ４７）。
【００３７】
これにより、切替先の基地局との間で同期が取れた場合は、以降、図４と同一のシーケンスを経て、引き続き切替先の基地局を介して相手端末と通話中の状態とされる（ステップＰ３７〜Ｐ４４）。
【００３８】
このように、本実施の形態では、１回目の検索で切替先の基地局が検索できなくても、あるいは、１回目に切替先の基地局との間で同期確立ができなくても、リトライ時間間隔ｎ秒経過後に２回目以降の検索又は同期確立を再度行うことにより切替先の基地局を検索したり、切替先の基地局との同期確立ができ、リトライ回数を多くすることによりハンドオーバの成功率をより一層高めることができる。
【００３９】
また、検索時間は何回目の検索でも約０．５秒と短く、従来のような約２秒という長い検索時間を用いていないので、ＰＨＳ端末のハードＣで消費する電流を低減することができ、電池の無駄な消耗を抑制することができる。また、設定したリトライ回数だけ検索を行っても、切替先の新たな基地局を検索できなかったときには、前述したように、ユーザの設定に従い、切り戻り処理を行うか、リトライ失敗として通話を終了するようにしているが、いずれの場合も、リトライをリトライ時間間隔毎に間欠的に行うようにしているので、電池の無駄な消耗を抑制することができる。
【００４０】
また、リトライ失敗時に切り戻り処理を行うようにユーザが設定している場合は、本実施の形態では、リトライ時間間隔の間は送信動作及び受信動作を行っていないので、基地局からの切り戻り信号を従来のように約１０秒間も継続して受信し続けることが無く、この場合にも電池の無駄な消耗を低減することができる。
【００４１】
更に、この実施の形態では、リトライ時間間隔及びリトライ回数を任意に設定することができるため、ユーザの使用用途や使用地域に応じて、最適なリトライ時間間隔やリトライ回数を設定することができる。
【００４２】
なお、本発明は上記の実施の形態に限定されるものではなく、例えばリトライ回数とリトライ時間間隔とは、それぞれユーザが上記の実施の形態のように任意の値を設定してもよいが、複数のパターンを予め用意しておき、その複数のパターンからユーザが希望するパターンを選択して設定するようにしてもよい。
【００４３】
【発明の効果】
以上説明したように、本発明によれば、ハンドオーバのために切替先の第２の基地局が検索できるまで、最大で予め設定したリトライ回数繰り返して検索させることにより、また、同期確立できなかった切替先の第２の基地局との間で同期確立ができるまで、最大で予め設定したリトライ回数繰り返して同期確立を行うことにより、切替先の第２の基地局の検索の可能性を向上するようにしたため、従来に比べてハンドオーバの成功率を向上することができる。
【００４４】
また、本発明によれば、ハンドオーバのために切替先の第２の基地局を所定時間内で検索すること、あるいは同期確立をとることを、第２の基地局が検索できるまで、あるいは同期確立できるまで、予め設定したリトライ時間間隔の間は処理を行わず、無駄な消費電流を削減できるようにしたため、電池の消耗速度を削減でき、従来に比べて電池を長寿命化することができる。また、リトライを失敗した時に切り戻り処理を行うようにユーザが設定している場合にも、リトライ時間間隔の間は切り戻り信号の受信動作を行わないので、基地局からの切り戻り信号のトータルの受信時間を従来に比べて短縮することができ、この場合にも従来に比べて電池を長寿命化することができる。
【００４５】
更に、本発明によれば、ユーザが使用用途、使用している地域などの使用環境に応じて、リトライ時間間隔及びリトライ回数を任意に設定するようにしたため、従来に比べてユーザの使用環境に左右されずに、一定の品質のハンドオーバのサービスを提供することができる。
【図面の簡単な説明】
【図１】本発明方法の一実施の形態のフローチャートである。
【図２】本発明方法が適用されるＰＨＳ通信システムの一例の全体構成図である。
【図３】ハンドオーバの通常動作の一例のシーケンス図である。
【図４】本発明方法の一実施の形態の検索失敗時の動作説明用シーケンス図である。
【図５】本発明方法の一実施の形態の接続失敗時の動作説明用シーケンス図である。
【図６】従来方法の一例の動作説明用フローチャートである。
【図７】従来方法の一例の検索失敗時の動作説明用シーケンス図である。
【図８】従来方法の一例の接続失敗時の動作説明用シーケンス図である。
【符号の説明】
Ｓ２１、Ｓ２３  切り戻し処理の設定有無の判定ステップ
Ｓ２２  切り戻り処理ステップ
１０  ＰＨＳ端末
１１１〜１１３  基地局
【図１】
0003586643.tif 000002
【図２】
0003586643.tif 000003
【図３】
0003586643.tif 000004
【図４】
0003586643.tif 000005
【図５】
0003586643.tif 000006
【図６】
0003586643.tif 000007
【図７】
0003586643.tif 000008
【図８】
0003586643.tif 000009